(57)【要約】【課題】吸込性能の低下を抑制しつつ排気中への臭気の混入を抑制できる電気掃除機を提供する。【解決手段】主風路と副風路W2との共通部分に、電動送風機５の駆動により主風路を介して吸い込んだ塵埃を捕集する第１集塵室172を設ける。副風路W2中に、第１集塵室172と隣接する第２集塵室173を設ける。主風路を電動送風機５の吸込側に連通させた状態では閉じて第１集塵室172と第２集塵室173とを区画する区画壁171が、副風路W2を電動送風機５の吸込側に連通させる状態へと切り換える際に開いて第１集塵室172と第２集塵室173とを連通させて第１集塵室172に捕集した塵埃を、第２集塵室173へと移動させる。主風路の使用時に吸込風が通過する第１集塵室172内の塵埃を低減でき、吸込性能の低下を抑制しつつ排気中への臭気の混入を抑制できる。【選択図】図１
2010051405.tif 000002
【特許請求の範囲】
【請求項１】
電動送風機を収容した掃除機本体と、
前記電動送風機の吸込側に連通可能な第１風路と、
前記電動送風機の吸込側に連通可能で前記第１風路と一部が共通の第２風路と、
前記第１風路と前記第２風路とのいずれかを所定条件に応じて前記電動送風機の吸込側に連通させるように選択的に切り換える切換部と、
前記第１風路と前記第２風路との共通部分に設けられ、前記電動送風機の駆動により前記第１風路を介して吸い込まれた塵埃を捕集する第１集塵室と、
前記第２風路中に設けられ、前記第１集塵室と隣接する第２集塵室とを具備し、
前記切換部は、前記第１集塵室と前記第２集塵室との間に位置し、前記第１風路を前記電動送風機の吸込側に連通させた状態では閉じて前記第１集塵室と前記第２集塵室とを区画するとともに、前記第１風路を前記電動送風機の吸込側に連通させた状態から前記第２風路を前記電動送風機の吸込側に連通させる状態へと切り換える際に開いて前記第１集塵室と前記第２集塵室とを連通させる区画壁を備えている
ことを特徴とした電気掃除機。
【請求項２】
第１集塵室に配置された第１フィルタと、
第２集塵室に配置され前記第１フィルタよりも目が細かい第２フィルタとを具備している
ことを特徴とした請求項１記載の電気掃除機。
【請求項３】
第１風路は、空気から塵埃を分離する分離部、第１集塵室、および、細塵フィルタを経由する風路であり、
第２風路は、前記フィルタの上流側、このフィルタの上流側と前記分離部とを連通する連通風路、前記分離部、前記第１集塵室、第２集塵室、および、前記細塵フィルタの下流側に連通するダクト部を経由する風路である
ことを特徴とした請求項１または２記載の電気掃除機。
【請求項４】
第１風路中の第１集塵室の下流側に配置され、閉方向へと付勢された第１シャッタと、
第２風路中の第２集塵室の下流側に配置され、閉方向へと付勢された第２シャッタとを具備し、
前記第１シャッタは、前記第２シャッタよりも閉方向への付勢力が大きく設定されている
ことを特徴とした請求項１ないし３いずれか一記載の電気掃除機。
【発明の詳細な説明】
【技術分野】
【０００１】
本発明は、吸い込まれた塵埃を捕集する集塵室を備えた電気掃除機に関する。
【背景技術】
【０００２】
従来、この種の電気掃除機は、電動送風機を収容した掃除機本体を備えている。この掃除機本体には、電動送風機の駆動により空気とともに吸い込んだ塵埃を捕集する集塵部が設けられている。集塵部としては、塵埃の移動に慣性力、あるいは遠心力を用いて塵埃と空気とを分離し、この分離した塵埃を集塵室に捕集する構成が知られている。このような集塵部の場合、紙製や布製の集塵袋を集塵部として用いる場合と異なり、塵埃が袋状のものに収納されておらず、塵埃を廃棄する際に塵埃が散らばりやすいため、吸い込んだ空気の一部を集塵室に流して塵埃を塊状にすることで、廃棄の際の塵埃の散らばりを防止するように構成されている(例えば、特許文献１参照。)。
【特許文献１】特開２００７−５４５５３号公報(第３−１１頁、図７)
【発明の開示】
【発明が解決しようとする課題】
【０００３】
しかしながら、上述の電気掃除機では、吸い込んだ空気の少なくとも一部が、集塵室に捕集された塵埃の中を常に流れることになり、塵埃の臭気が常に排気に混入するおそれがあるという問題点を有している。
【０００４】
このような臭気の混入を防止するために、消臭用のフィルタを配置することが考えられるものの、このフィルタによる通気抵抗の増加によって吸込性能が低下したり、使用末期にフィルタの目詰まりによって吸込性能が低下したりしているおそれがある。
【０００５】
本発明は、このような点に鑑みなされたもので、吸込性能の低下を抑制しつつ排気中への臭気の混入を抑制できる電気掃除機を提供することを目的とする。
【課題を解決するための手段】
【０００６】
本発明は、第１風路とこの第１風路と一部が共通の第２風路とのいずれかを所定条件に応じて電動送風機の吸込側に連通させるように選択的に切り換える切換部と、第１風路と第２風路との共通部分に設けられ、電動送風機の駆動により第１風路を介して吸い込まれた塵埃を捕集する第１集塵室と、第２風路中に設けられ、第１集塵室と隣接する第２集塵室とを具備し、切換部が、第１集塵室と第２集塵室との間に位置し、第１風路を電動送風機の吸込側に連通させた状態では閉じて第１集塵室と第２集塵室とを区画するとともに、第１風路を電動送風機の吸込側に連通させた状態から第２風路を電動送風機の吸込側に連通させる状態へと切り換える際に開いて第１集塵室と第２集塵室とを連通させる区画壁を備えているものである。
【発明の効果】
【０００７】
本発明によれば、第１風路を電動送風機の吸込側に連通させた状態では閉じている区画壁が、切換部により第２風路を電動送風機の吸込側に連通させる状態へと切り換える際に開いて第１集塵室と第２集塵室とを連通させて、第１集塵室に捕集した塵埃を第２風路中の第２集塵室へと移動させることができるので、第１風路の使用時に電動送風機の駆動により吸い込んだ空気が通過する第１集塵室内の塵埃量を低減でき、例えば専用のフィルタなどを用いる場合と比較して、吸込性能の低下を抑制しつつ排気中への臭気の混入を抑制できる。
【発明を実施するための最良の形態】
【０００８】
以下、本発明の一実施の形態の電気掃除機の構成を図１ないし図１４を参照して説明する。
【０００９】
図１４において、１は掃除機本体であり、この掃除機本体１は床面を走行可能な、いわゆるキャニスタ型の電気掃除機である。この掃除機本体１は、上側が後方から前方へと下側に傾斜して開放された下ケース２と、この下ケース２の上部を覆う蓋体３とを有する本体ケース４を備え、この本体ケース４内には、電動送風機５を内部に収容する電動送風機室６が後側に、蓋体３により上部が開閉され集塵ユニット７を着脱可能な本体集塵室８が前側に、それぞれ隔壁９(図１３)により区画されている。
【００１０】
そして、本体ケース４の前端部には、本体集塵室８を介して電動送風機５の吸込側に連通可能な本体吸込口11が開口形成され、この本体吸込口11には、ホース体12が着脱可能に設けられ、このホース体12の先端部に、手元操作部13が設けられ、この手元操作部13には、作業者が把持する把持部14が突設され、この把持部14には、作業者により電動送風機５などの動作が設定される設定ボタン15が複数設けられている。そして、手元操作部13の先端部には、延長管16と吸込口体としての床ブラシ17とが順次連通接続される。
【００１１】
さらに、本体ケース４内には、電動送風機５に給電するための図示しない電源コードを巻回したコードリールが配設され、電源コードを本体ケース４に対して出し入れ可能となっている。また、本体ケース４には、電動送風機５の排気を外部に排出する排気口18(図１)が形成されている。
【００１２】
電動送風機５は、吸込側を前側とし、排気側を後側として電動送風機室６内に配設されている。また、この電動送風機５は、本体ケース４内に設けられた図示しない制御手段からの信号により、所定の動作モードで動作可能となっている。この動作モードは、設定ボタン15の操作により適宜設定される。
【００１３】
集塵ユニット７は、図３に示すように、塵埃分離本体部としての塵埃分離ユニット21と、集塵部としての集塵部ユニット22とを備えている。
【００１４】
塵埃分離ユニット21は、塵埃分離部24と、この塵埃分離部24の後部に一体に設けられたフィルタ取付部25とを有し、このフィルタ取付部25に、図４に示すように、細塵を捕集するプリーツ状のプリーツフィルタ体26と、このプリーツフィルタ体26と同軸上に設けられた除塵手段および開閉手段の機能を有する回転弁体27とが同軸上に回動可能に軸支されている。
【００１５】
塵埃分離部24は、図３ないし図７に示すように、角筒状の案内風路管31が、左右幅方向の略中央部に配設され、この案内風路管31の一側に略円筒状の分離部としての分離室部32が連通され、この分離室部32内に、図６および図７に示すように、この分離室部32と同軸状に略截頭円錐形状すなわち略円錐台状の塵埃分離手段33が設けられている。また、図５および図７に示すように、案内風路管31の他側に集塵部ユニット22の下流側に連通する連通管部34が設けられ、さらに、案内風路管31の下方に、分離室部32の下流側とフィルタ取付部25の上流側とを連通する連通風路部35(図８)が設けられている。
【００１６】
案内風路管31は、図３および図５などに示すように、塵埃分離ユニット21を本体ケース４の本体集塵室８(図１４)に装着した状態で本体吸込口11の下流側に気密に接続されて塵埃を空気とともに吸い込む吸込接続口38を前端部に備え、かつ、分離室部32の上流側に連通する接続開口39を後端部に備えている。また、案内風路管31の上部には、塵埃分離ユニット21に集塵部ユニット22を係止するための係止体40が設けられている。
【００１７】
吸込接続口38の周縁部には、本体吸込口11と気密に接続するための前部シール部材としての前部パッキン42が取り付けられている。
【００１８】
接続開口39は、案内風路管31内を通過した空気を、分離室部32の内周面と塵埃分離手段33の外周との間にて、周方向に回転させるように導くものである。
【００１９】
係止体40は、前後方向に長手板状に形成され、前側寄りの位置と、後端部近傍とにそれぞれ穿設された前後方向に長孔状の摺動孔46，46に、案内風路管31の上面から突設されたボス状のガイドボス部47，47が挿通されて前後方向に摺動可能にガイドされている。また、この係止体40は、図示しない係止体付勢手段により、前方向へと付勢されている。そして、この係止体40は、中央部に四角形状の係止孔55が穿設され、この係止孔55に、集塵部ユニット22に下方に向けて突設された図示しない係止爪が挿入された際に、係止体付勢手段の付勢により、この係止爪が係止孔55に係合することで、集塵部ユニット22(図３)を塵埃分離ユニット21に係止し、前端側が係止体付勢手段の付勢に抗して後方へと押されて後方へと摺動した際に、係止孔55への係止爪の係合が外れることで、集塵部ユニット22が塵埃分離ユニット21に対して取り外し可能となるように構成されている。
【００２０】
また、分離室部32は、空気から塵埃を分離する部分であり、図６および図７に示すように、前端側の上部に案内風路管31に連通する接続開口39が設けられているとともに、塵埃分離手段33が取り付けられる円形状に開口59が中央部に穿設され、かつ、この開口59の周囲に、扇形状の延命用開口61が穿設されている。また、この分離室部32の下側の周壁部には、フィルタ取付部25側と連通風路62を介して連通する連通開口部としての塵埃戻し開口63が穿設されている。さらに、この分離室部32は、蓋64により開閉可能となっている。そして、この分離室部32の上側の周壁部には、分離室部32内を集塵部ユニット22の上流側へと連通させる導入開口65が開口形成されている。
【００２１】
接続開口39と吸込接続口38との間には、案内風路管31内に位置して第１風路開閉部材としての上流側開閉部材である第１開閉弁66(図４)が開閉可能に設けられている。
【００２２】
この第１開閉弁66は、接続開口39と吸込接続口38とを連通／遮断するものであり、左右幅方向に長手状に形成され、長手方向の一端部に、案内風路管31の上下に亘って軸支された第１開閉弁軸支部68が設けられている。この第１開閉弁軸支部68は、案内風路管31の上部にて導入開口65の側方に穿設された開閉弁軸支孔69に上端部が挿通され、この上端部が、接続機構70を介して回転弁体27側に接続されている。
【００２３】
ここで、接続機構70は、一端部が第１開閉弁軸支部68の上端部に回動可能に接続された接続体としてのクランク体72と、このクランク体72と回転弁体27とを接続する摺動接続体としての接続板73とを有している。そして、この接続機構70は、係止体40とともに、フィルタ取付部25の前部から案内風路管31の上部に亘って設けられたカバー体71により少なくとも一部が覆われている。
【００２４】
クランク体72は、先端側が第１開閉弁66と平面視で一定の角度を維持するように連結されている。
【００２５】
接続板73は、板状の接続板本体75と、この接続板本体75の図４に示す左端部から前方へと略水平に延設された延設腕部76とを備えている。
【００２６】
接続板本体75は、横長に形成され、フィルタ取付部25の前部に形成された機構収容部77内に収容されている。また、この接続板本体75には、回転弁体27の回転軸78が挿通される回転軸孔79が左右幅方向に長孔状に形成され、この回転軸孔79の上方に、回転軸78の周縁部の一部に設けられた歯合ギヤ部81と歯合するギヤ状のラックギヤ部82が左右幅方向に沿って設けられている。したがって、この接続板本体75は、回転弁体27の回動を左右幅方向への摺動へと変換する役割を有している。
【００２７】
延設腕部76の先端部には、クランク体72の基端側が回動可能に軸支されている。したがって、クランク体72は、接続板本体75の左右幅方向への摺動を、第１開閉弁66の第１開閉弁軸支部68の回動へと変換可能に構成されている。
【００２８】
また、図１、図２および図６に示すように、開口59は、連通風路部35を介してフィルタ取付部25側へと連通している。
【００２９】
延命用開口61には、図示しないリブが格子状に形成され、このリブに亘ってネットフィルタ86が取り付けられている。そして、この延命用開口61は、開口59と同様に連通風路部35を介してフィルタ取付部25の上流側に連通している。
【００３０】
連通風路62は、分離室部32の後部下側からフィルタ取付部25の下部に亘って略水平状に形成されている。
【００３１】
図７に示す塵埃戻し開口63には、この塵埃戻し開口63を開閉する第２風路開閉部材としての第２開閉弁87が取り付けられている。この第２開閉弁87は、上流側と下流側との圧力差によって開閉するフラップ状の部材である。
【００３２】
また、図６および図７に示すように、塵埃分離手段33は、先端部に位置する円板91と、開口59の周囲に取り付けられた円環状のリング枠92とを備え、これら円板91とリング枠92とが、放射状に複数設けられたリブ状の連結枠93により連結され、これら連結枠93間に形成され開口59に連通する連通開口94にネットフィルタ95が設けられている。
【００３３】
また、図１、図２および図５に示すように、連通管部34は、塵埃分離部24の側部に穿設された連通口としての第１連通口である上部開口96および連通口としての第２連通口である下部開口97と、下部に突設された角筒状の突出管部98とに亘って連続し、かつ、フィルタ取付部25の前部に、第１接続開口99を介して連通している。また、この連通管部34内には、突出管部98側との間に、隔壁部100が形成され、この隔壁部100に、突出管部98と連通する連通孔101が穿設されているとともに、この連通孔101に、プリーツ状の微細塵捕集手段としての微細塵フィルタ102が取り付けられている。
【００３４】
上部開口96および下部開口97の外縁部には、シール部材104が設けられ、集塵部ユニット22の下流側と気密に接続可能となっている。また、上部開口96の下流側、すなわち連通管部34の内方には、この上部開口96を開閉可能な第１シャッタとしての上部シャッタ105が回動可能に取り付けられ、下部開口97の下流側、すなわち連通管部34の内方には、この下部開口97を開閉可能な第２シャッタとしての下部シャッタ106が回動可能に取り付けられている。
【００３５】
各シャッタ105，106は、それぞれ上流側と下流側との圧力差によって開閉するもので、上部シャッタ105の上端側が上部開口96の上側の位置で軸支され、下部シャッタ106の上端側が下部開口97の上側の位置で軸支されている。そして、上部シャッタ105は、図示しないトーションばねなどの第１シャッタ付勢手段により閉方向、すなわち上部開口96側へと付勢され、下部シャッタ106は、図示しないトーションばねなどの第２シャッタ付勢手段により閉方向、すなわち下部開口97側へと付勢されている。
【００３６】
ここで、各シャッタ付勢手段は、電動送風機５の負圧により生じる各シャッタ105，106の上流側と下流側との圧力差よりも小さい付勢力を有している。また、第１シャッタ付勢手段は、第２シャッタ付勢手段よりも、閉方向への付勢力が大きく設定されている。したがって、上部シャッタ105は、下部シャッタ106よりも開きにくく、かつ、閉じやすくなっている。
【００３７】
微細塵フィルタ102は、前後方向に沿うプリーツが左右幅方向に複数形成されている。また、この微細塵フィルタ102は、第１接続開口99の下側の位置に配設されている。
【００３８】
また、図１、図２および図８に示すように、突出管部98は、塵埃分離部24の後側寄りに位置し、先端側である下端部の外周縁部に接続シール部材としての接続パッキン108が取り付けられている。
【００３９】
また、連通風路部35は、連通管部34と平行に前後方向へと形成され、後端部が、第１接続開口99の側部に隣接して穿設された第２接続開口109を介してフィルタ取付部25の前部に連通している風路である。
【００４０】
そして、フィルタ取付部25は、図４に示すように、後端部が開口された略円筒状のフィルタ部本体である収納ケース111内にプリーツフィルタ体26および回転弁体27が回転可能でかつ着脱可能に配設されている。
【００４１】
収納ケース111は、図３、図４、図７および図８に示すように、前端を形成する正面視略円形状の区画壁としての前壁部114と、この前壁部114の外周縁部から後方へと突出した塵埃受け部115とを有している。
【００４２】
前壁部114の前部には、塵埃分離部24が一体に形成されている。また、この前壁部114の中央部には、回転弁体27を回転自在に軸支する図示しない軸支孔が穿設されている。さらに、この前壁部114の左右幅方向略中央部の下部には、各接続開口99，109が穿設されているとともに、上側寄りの位置に、外気導入口としての上側開口部である外気導入口117が周方向に沿って扇形状に穿設されている。また、この前壁部114には、回転弁体27のガイド用のガイド部118が周方向に沿って設けられている。
【００４３】
ここで、第１接続開口99は、上下方向に長手状に形成されている。
【００４４】
また、第２接続開口109は、第１接続開口99に隣接して、第１接続開口99よりも幅狭に形成されている。
【００４５】
そして、これら接続開口99，109の周縁部には、フィルタ上流部シール部材としてのパッキン119が取り付けられている。
【００４６】
また、外気導入口117は、外気と塵埃受け部115側とを連通可能なもので、ガイド部118の上方に、このガイド部118に沿って形成されている。また、この外気導入口117には、この外気導入口117を開閉可能な開閉蓋すなわち第３開閉部材としての外気用開閉弁である第３開閉弁120が配設されている。
【００４７】
なお、以下、外気とは、集塵ユニット７の外部に位置する空気をいい、必ずしも掃除機本体１の外部の空気をいうものではなく、電動送風機５の排気風なども含むものとする。
【００４８】
また、第３開閉弁120は、前壁部114の前側に位置し、下端部にヒンジ部121，121が突設されて、これらヒンジ部121，121が、ガイド部118の前部に設けられたヒンジ受け部122に回動可能に軸支されているとともに、図示しない開閉体付勢手段により後方すなわち前壁部114へと付勢されている。そして、この第３開閉弁120は、開閉体付勢手段の付勢力に抗して前方へと移動することにより外気導入口117を開閉可能となっている。また、この第３開閉弁120の後部には、図８に示すように、回転弁体27と当接可能な開閉体突出部124が突設されている。この開閉体突出部124は、図８に示す左端部から右端部へと、突出量が増加するように形成され、外気導入口117から収納ケース111内すなわち前壁部114の後面よりも後方に突出している。
【００４９】
ガイド部118は、前壁部114の図８に示す左側から上側に亘って約９０°の円弧状に形成されている。
【００５０】
また、塵埃受け部115は、前壁部114の全周に亘って後方へと突出し、プリーツフィルタ体26から回転弁体27により落とされた細塵を受ける壁状の部分であり、この塵埃受け部115には、前壁部114の中央部よりも下側、かつ、この前壁部114の中央部に対して外気導入口117と略対称な位置に、排出開口としての下部粉体投入口である下部排出開口131が開口形成されている。
【００５１】
この下部排出開口131は、細長四角形状に形成され、連通風路62を介して分離室部32へと連通している。また、この下部排出開口131には、回転弁体27の回転により開閉される開閉部材132が配設されている。この開閉部材132は、回転弁体27の回転方向に応じて、下部排出開口131を開閉可能に設けられている。
【００５２】
また、図４に示すように、プリーツフィルタ体26は、中央部に位置し回転弁体27の回転軸78の後端部が挿入された略円筒状の軸部136と、この軸部136の外周面から径方向に放射状に突設された複数のプリーツ骨137と、これらプリーツ骨137に貼着されて放射プリーツ状に形成された細塵フィルタとしてのプリーツフィルタ139とを有している。なお、図４において、プリーツフィルタ体26はその要部のみを記載し、プリーツフィルタ139は、プリーツ骨137を示すために、その一部を切り欠いて記載している。
【００５３】
また、図８に示すように、回転弁体27は、プリーツフィルタ体26の軸部136に挿入された回転体軸部としての軸部141と、この軸部141から径方向に突設された弁部である第４開閉部材としての第４開閉弁142と、この第４開閉弁142と反対方向へと軸部141から突設された除塵腕部143とを有している。
【００５４】
軸部141は、前壁部114よりも前側に突出した前端部に上記歯合ギヤ部81(図４)が設けられている。
【００５５】
第４開閉弁142は、各接続開口99，109を覆うことが可能な形状に形成されている。そして、この第４開閉弁142は、回転弁体27が図８の実線に示す状態で、各接続開口99，109全体を開口するとともに、図８の想像線142aに示す状態で、接続開口99，109全体を閉塞するように構成されている。なお、これらの状態において、第４開閉弁142は、前壁部114に設けられたストッパ部144，145に当接することで、回転弁体27の回転が規制されている。また、この第４開閉弁142は、回転時に、開閉部材132に当接して、この開閉部材132を開閉するように構成されている。
【００５６】
除塵腕部143は、軸部141に対して、外気導入口117までの距離よりも長く形成され、回転時に、第３開閉弁120の開閉体突出部124に当接して、この第３開閉弁120を開閉するように構成されている。また、この除塵腕部143には、後側すなわちプリーツフィルタ体26側へと突出した除塵部としての塵落とし突部147が設けられている。この塵落とし突部147は、プリーツフィルタ139にて捕集した微細な塵埃すなわち細塵を、このプリーツフィルタ139に振動を与えることにより除去する部分であり、プリーツフィルタ体26をフィルタ取付部25に装着した状態で、プリーツフィルタ139の谷部に嵌合可能な突出量に設定されている。また、この塵落とし突部147は、図示しない付勢手段により除塵腕部143に対して略垂直に後方へと突出する状態を維持する方向に付勢されている。
【００５７】
一方、図１ないし図３などに示すように、集塵部ユニット22は、塵埃分離ユニット21に集塵部ユニット22を装着した状態で塵埃分離ユニット21の分離室部32の下流側に連通する連通風路部151と、この連通風路部151に回動可能に取り付けられた蓋体152とを備え、連通風路部151の下流側で蓋体152との間に集塵室部153が形成されている。
【００５８】
連通風路部151は、左右幅方向に長手状の風路部154と、この風路部154の図３に示す右端部から下方に延設された側壁部155とを有する正面視略Ｌ字状に形成されている。
【００５９】
風路部154は、導入開口65と連通する風路部開口156が下部に穿設され、分離室部32と集塵室部153とを連通する風路を内部に区画している。また、この風路部154の上部には、集塵部ユニット22を持ち上げ可能とする取手部157が設けられている。
【００６０】
側壁部155は、集塵室部153の一側を区画する部分であり、塵埃分離ユニット21に集塵部ユニット22を装着した状態で上部開口96と連通する集塵室連通口としての第１集塵室連通口である上側開口161と、下部開口97と連通する集塵室連通口としての第２集塵室連通口である下側開口162とが上下に離間されてそれぞれ穿設され、これら開口161，162を覆ってフィルタ枠163が取り付けられている。また、この側壁部155の図１(a)および図２(a)に示す右側は、集塵室部153の塵埃廃棄口である開口部164となっている。
【００６１】
フィルタ枠163には、上側開口161と対向する位置に第１孔部166が形成され、下側開口162と対向する位置に第２孔部167が形成されている。そして、第１孔部166に第１フィルタ168が取り付けられ、第２孔部167に第２フィルタ169が取り付けられている。
【００６２】
第１フィルタ168および第２フィルタ169は、それぞれネットフィルタなどであり、例えば第２フィルタ169が第１フィルタ168よりも目が細かく設定されている。
【００６３】
集塵室部153は、例えば綿ごみなどの比較的大きい塵埃である粗塵を主に含む塵埃Ｄが収容される部分であり、区画壁171により上側に第１集塵室172が、下側に第２集塵室173が、それぞれ区画されている。また、この集塵室部153は、蓋体152により開閉可能となっている。
【００６４】
区画壁171は、連通風路部151側であるフィルタ枠163に回動可能に取り付けられた一方の弁体171aと、蓋体152側に回動可能に取り付けられた他方の弁体171bとにより構成されている。
【００６５】
弁体171a，171bは、図示しないが、軸支部が例えば第１開閉弁軸支部68、あるいは接続機構70などと連結されており、これらの動作に連動して上下方向に回動するように構成されている。そして、これら弁体171a，171bが閉じた状態で、第１集塵室172と第２集塵室173とが区画され、これら弁体171a，171bが開くことにより、第１集塵室172と第２集塵室173とが連通される。
【００６６】
第１集塵室172は、上部シャッタ105が開いた状態で下流側が上部開口96および上側開口161を介して連通管部34へと連通する。
【００６７】
第２集塵室173は、下部シャッタ106が開いた状態で下流側が下部開口97および下側開口162を介して連通管部34へと連通する。
【００６８】
また、蓋体152は、開口部164の下端部にて側壁部155に回動可能に軸支されている。また、この蓋体152の上端部には、取手部157内に一部が設けられた係止機構175により係止される被係止部176が設けられている。
【００６９】
係止機構175は、取手部157の蓋体152と反対側すなわち図１(a)および図２(a)に示す左端部に、取手部157を把持した状態で作業者が操作する解除ボタン178が突設され、かつ、図１(a)および図２(a)に示す右端部に、解除ボタン178の操作により動作するフック部179が突設され、取手部157内に、フック部179を係止方向に付勢する図示しない係止爪部付勢手段が設けられている。
【００７０】
一方、隔壁９は、図１３に示すように、左右幅方向の略中央部に嵌着された隔壁中央部181と、この隔壁中央部181に対して交差するように前後方向に沿って設けられた隔壁風路部182とを有している。
【００７１】
隔壁中央部181は、図１２および図１３に示すように、左右幅方向の中央部に、正面視略円形状の円形部183が設けられ、この円形部183の下端部に、この円形部183に連続する閉塞面部184が突設されている。
【００７２】
円形部183は、前側から後側へと凹状に形成され、中央部に略円柱状の支持軸186が前方へと突設され、この支持軸186に、円形板状の円形回転部187が回転自在に軸支されている。また、円形部183の左右幅方向の略中央部の下部には、閉塞面部184に亘って下方へと突出した突出凹部188が連続的に形成されている。さらに、円形部183の支持軸186の図１２に示す左下側には、電動送風機５(図９)の吸込側に連通する円形状の連通孔189が穿設されている。
【００７３】
円形回転部187は、図１２に示すように、支持軸186が挿通される略円筒状の軸支部191が中央部にて後方へと突設され、この軸支部191の前端部の周囲へと、複数の放射リブ192が放射状に設けられ、これら放射リブ192間を連結するように、軸支部191と同心状に、複数の同心リブ193が設けられている。したがって、これら放射リブ192と同心リブ193との間が、円形回転部187の前部と後部とを連通する連通孔部194となっている。また、この円形回転部187の外周縁部は、回転枠部195が設けられ、この回転枠部195の後部には、歯合部としての外周ギヤ部196が外周部全体に亘って設けられている。
【００７４】
また、放射リブ192の一部には、突出リブ198が前方へと突出してこの放射リブ192に沿って壁状に設けられている。この突出リブ198は、プリーツフィルタ体26の谷部に嵌合して円形回転部187とプリーツフィルタ体26とを一体的に回転させるものである。
【００７５】
突出凹部188は、略中央部に孔部201(図１３)が穿設され、この孔部201には、図１１および図１２に示すように、円形回転部187を回転させる回転ギヤ202が回転自在に設けられている。さらに、この突出凹部188の周縁部には、円形部183の周縁部に亘って連続した隔壁シール部材としての隔壁パッキン203が取り付けられている。
【００７６】
回転ギヤ202は、円形回転部187の外周ギヤ部196と歯合することにより、回転ギヤ202の回転に伴って円形回転部187が回転するように構成されている。
【００７７】
連通孔189の周縁部には、シール部材としてのパッキン204が設けられている。また、この連通孔189の近傍には、この連通孔189を開閉する第５開閉部材としての第５開閉弁205が設けられている。
【００７８】
ここで、第５開閉弁205は、連通孔189よりも若干大きい正面視円形状の弁体206と、この弁体206を先端部に回動可能に軸支する軸支腕部207とを備えている。
【００７９】
軸支腕部207の先端部は、弁体206に対して、図示しない付勢手段により周方向に付勢されているとともに、軸支腕部207の基端部は、円形部183に穿設された図示しない軸支孔部にて回動可能に軸支されている。
【００８０】
また、閉塞面部184は、図１２に示す左下部に、隔壁風路部182が嵌合する嵌合孔部211が穿設されている。
【００８１】
一方、隔壁風路部182は、図９および図１０に示すように、本体集塵室８(図１４)側に突出する連通突出部213と、この連通突出部213の後部から電動送風機室６(図１４)内にて上方へと立ち上がる角筒状の垂直風路部215と、この垂直風路部215の上端部から後方へと突出して電動送風機５(図９)の吸込側に連通接続される円筒状の連通筒部216とを一体的に有している。
【００８２】
図９に示すように、連通突出部213は、下側が開放され、本体集塵室８(図１４)の下面に隙間なく密着することでこの本体集塵室８(図１４)の下面との間に風路を区画する部分であり、左右幅方向に長手状に形成され、集塵ユニット７を本体集塵室８に装着した状態で集塵ユニット７の後部下側に対向する対向面部218を前側上部に有し、この対向面部218に、垂直風路部215へと連通する四角形状の接続孔219が穿設されている。また、この連通突出部213は、図１１および図１２に示すように、後部側が嵌合孔部211に嵌合している。
【００８３】
図９に示すように、接続孔219は、集塵ユニット７を本体集塵室８(図１４)に装着した状態で、突出管部98(図８)に連通接続される部分であり、この接続孔219の上側の外側縁部には、シール部材としての接続孔パッキン221が設けられている。
【００８４】
垂直風路部215は、プリーツフィルタ139の下流側である連通突出部213の後部上側に連続するダクト部としての風路構成部231と、この風路構成部231の側方に一体的に設けられた機構部232と、風路構成部231の側方でかつ機構部232の下部に位置する取付部233とを有している。
【００８５】
風路構成部231は、上下方向に沿って軸方向を有する角筒状に形成され、内部に第６開閉部材としての下流側開閉部材である第６開閉弁235が配設されている。さらに、風路構成部231の上端部には、隔壁中央部181の連通孔189の後部に連通接続される略円筒状の接続筒部237が前後方向に沿って軸方向を有する水平状に設けられている。この接続筒部237は、風路構成部231に下端部が連通するとともに、連通筒部216と同軸上に設けられ、この連通筒部216の前部に連通している。
【００８６】
機構部232は、風路構成部231の図９に示す右側方に正面視半円弧状に突設された外壁部241と、この外壁部241の下側寄りの内縁部に沿って円弧状に設けられたガイドリブ部242と、この外壁部241の上側寄りの内縁部に沿って円弧状に設けられた上部リブ部243と、外壁部241の下側寄りの内縁部に沿って円弧状に設けられた下部リブ部244(図１０)とを備えている。また、機構部232の前部には、外壁部241の円弧形状の中央部に、風路構成部231内に連通する軸孔部245が穿設され、この軸孔部245には、駆動軸246が回動可能に挿通され、この駆動軸246には、被駆動伝達手段としての駆動ギヤ247が一体的に設けられている。
【００８７】
ガイドリブ部242は、駆動ギヤ247の回動をガイドするものである。
【００８８】
上部リブ部243は、ガイドリブ部242よりも前方に突出し、駆動ギヤ247の上方での回動位置を規制するものである。
【００８９】
同様に、下部リブ部244は、ガイドリブ部242よりも前方に突出し、駆動ギヤ247の下方での回動位置を規制するものである。
【００９０】
駆動軸246は、風路構成部231内にて第６開閉弁235に連結され、回動によりこの第６開閉弁235を一体的に駆動させるものである。また、この駆動軸246の前端部は、前記軸支孔部に挿通され、隔壁中央部181の前側にて軸支腕部207の基端部に接続されて、この軸支腕部207と一体に回動するように構成されている。
【００９１】
そして、駆動ギヤ247は、駆動軸246と一体に設けられた第１ギヤ体としての規制板部257と、この規制板部257の後部に設けられた第２ギヤ体としてのギヤ本体部258と、このギヤ本体部258と一体に設けられたガイド部259とを備えている。
【００９２】
規制板部257は、中心角が略９０°の扇形状に形成されており、周方向に沿って長孔状の規制孔261が複数穿設されている。
【００９３】
ギヤ本体部258は、規制板部257よりも若干小さい扇形状に形成され、規制板部257と同軸上に重ね合わせて設けられ、規制孔261のそれぞれに挿入される挿入リブ263が前面に複数突設されている。また、このギヤ本体部258の外周縁部には、規制板部257よりも径方向に突出した歯合部としての外周ギヤ部264が設けられている。
【００９４】
ガイド部259は、ギヤ本体部258の外周縁部近傍の後側面に設けられ、ガイドリブ部242および上部リブ部243と嵌合する溝部267が周方向に沿って設けられている。そして、この溝部267の内部には、ギヤ付勢手段としてのギヤ用コイルばね268が配設されている。このギヤ用コイルばね268は、溝部267よりも幅寸法が大きく形成されて溝部267内に保持されており、駆動ギヤ247が上方、あるいは下方に回動した際に、溝部267に嵌合した上部リブ部243、あるいは下部リブ部244と当接して収縮することで、ギヤ本体部258を回動下方向、あるいは回動上方向に付勢するものである。
【００９５】
そして、取付部233は、駆動手段としてのモータ271を取り付ける部分であり、下方から上方向へと傾斜状に形成された長孔状の切欠孔部275に、モータ271の回転軸としてのモータ軸281が挿入されて前方に突出している。このモータ軸281は、先端部が孔部201に挿通され、隔壁中央部181の前側にて回転ギヤ202に接続されて、この回転ギヤ202と一体に回転するように構成されている。また、このモータ軸281には、外周ギヤ部264と歯合する外周歯合ギヤ部283を有する駆動伝達手段としての回動ギヤ284が一体的に設けられている。
【００９６】
モータ271は、例えば制御手段などからの信号により、両方向に回動可能に設けられている。
【００９７】
連通筒部216は、後方に突出し、基端部の外周部にシール部材としての送風機接続パッキン287が設けられ、電動送風機５の吸込側に気密に連結される。
【００９８】
そして、上記構成により、電気掃除機内には、各開閉弁66，87，120，142，205，235、および、区画壁171の各弁体171a，171bがモータ271の回動などに連動して開閉されるとともに、各シャッタ105，106が上流側と下流側との圧力差によって選択的に開閉することにより、通常の掃除に用いる第１風路としての主風路W1と、例えば掃除の終了時などにプリーツフィルタ139を空気洗浄するための第２風路としての副風路W2とが切り換えられる。
【００９９】
具体的に、図１(a)および図１(b)に示すように、第４開閉弁142が接続開口99，109を開いた状態となり、この第４開閉弁142に連動して第１開閉弁66が接続開口39を開いた状態となり、第３開閉弁120によって外気導入口117が閉塞された状態となり、第５開閉弁205によって連通孔189が開いた状態となり、第６開閉弁235によって風路構成部231内が閉塞された状態となり、かつ、区画壁171の各弁体171a，171bが閉じて第１集塵室172と第２集塵室173とを区画するとともに、電動送風機５の負圧によって、第２開閉弁87および下部シャッタ106がそれぞれ塵埃戻し開口63および下側開口162(下部開口97)を閉塞した状態となり、上部シャッタ105が上側開口161(上部開口96)を開いた状態となることで、本体吸込口11から、吸込接続口38および接続開口39を介して案内風路管31、分離室部32、連通風路部151、第１集塵室172、第１フィルタ168、上側開口161、上部開口96、第１接続開口99、プリーツフィルタ139および連通孔189を介して電動送風機５へと吸い込まれる第１主風路W1aと、この第１主風路W1aから分離室部32にて延命用開口61および開口59へと分岐され、連通風路部35および第２接続開口109を介してプリーツフィルタ139の上流側にて第１主風路W1aと合流する第２主風路W1bとが構成され、これら第１主風路W1aと第２主風路W1bとで主風路W1が構成される。
【０１００】
また、図２(b)に示すように、第４開閉弁142が接続開口99，109を閉塞した状態となり、この第４開閉弁142に連動して第１開閉弁66が接続開口39を閉塞した状態となり、第３開閉弁120によって外気導入口117が開いた状態となり、第５開閉弁205によって連通孔189が閉塞された状態となり、第６開閉弁235によって風路構成部231内が開いた状態となり、かつ、区画壁171の各弁体171a，171bが開いて第１集塵室172と第２集塵室173とを連通させるとともに、電動送風機５の負圧によって、第２開閉弁87および下部シャッタ106がそれぞれ塵埃戻し開口63および下側開口162(下部開口97)を開いた状態となり、上部シャッタ105が上側開口161(上部開口96)を開いた状態となることで、外気導入口117を介して、プリーツフィルタ139の上流側から、下部排出開口131、連通風路62、塵埃戻し開口63、分離室部32、連通風路部151、第１集塵室172、第２集塵室173、下側開口162、下部開口97、微細塵フィルタ102、連通孔101、接続孔219および風路構成部231を介して外気が電動送風機５へと吸い込まれる副風路W2が構成される。
【０１０１】
したがって、主風路W1と副風路W2とは、フィルタ取付部25、分離室部32および第１集塵室172が共通するように設けられている。また、外気導入口117が副風路W2の吸気口となっている。
【０１０２】
そして、各開閉弁66，87，120，142，205，235、各シャッタ105，106、区画壁171の各弁体171a，171b、機構部232およびモータ271などにより、主風路W1を電動送風機５の吸込側に連通させる第１モードである掃除モードと副風路W2を電動送風機５の吸込側に連通させる第２モードであるエア洗浄モードとを選択的に切り換えるための切換部289が構成されている。
【０１０３】
なお、図１(b)および図２(b)は、便宜上、各開閉弁66，87，120，142，205，235、各シャッタ105，106および区画壁171の各弁体171a，171bの開閉動作を模式的に示しているものであり、必ずしも実際の各開閉弁66，87，120，142，205，235、各シャッタ105，106および区画壁171の各弁体171a，171bの回動や摺動などの動作を示しているものではない。
【０１０４】
次に、上記一実施の形態の動作を説明する。
【０１０５】
まず、本体吸込口11にホース体12、延長管16および床ブラシ17を順次連通接続するとともに、本体ケース４の蓋体３を開けて本体集塵室８に集塵ユニット７を装着する。
【０１０６】
このとき、本体集塵室８に、まず塵埃分離ユニット21を装着することで、吸込接続口38が前部パッキン42を介して本体吸込口11の下流側に気密に接続されるとともに、フィルタ取付部25のプリーツフィルタ体26が、隔壁９の円形回転部187に対向して嵌合する。
【０１０７】
さらに、この塵埃分離ユニット21を装着した本体集塵室８に集塵部ユニット22を装着することで、塵埃分離ユニット21側の係止体40により集塵部ユニット22が塵埃分離ユニット21に係止される。
【０１０８】
同時に、集塵部ユニット22の風路部開口156が塵埃分離ユニット21の上部の導入開口65と気密に接続されるとともに、集塵部ユニット22の各開口161，162が塵埃分離ユニット21の各開口96，97と気密に接続される。
【０１０９】
この状態で、本体ケース４から電源コードを引き出して壁面などのコンセントに接続し、作業者が把持部14を把持して所定の設定ボタン15を操作すると、制御手段が電動送風機５を駆動させるとともに、切換部289を駆動させて掃除モードに切り換える。
【０１１０】
具体的に、制御手段が、モータ271を図９に示す反時計回り方向に回転させることで、モータ271のモータ軸281の前端部に接続された回転ギヤ202が図１２に示す反時計回り方向に回転し、この回転ギヤ202と外周ギヤ部196が歯合した円形回転部187が図１２に示す時計回り方向に回転し、この円形回転部187と一体的にプリーツフィルタ体26が回転する。
【０１１１】
このとき、プリーツフィルタ体26のプリーツフィルタ139の谷部に塵落とし突部147が係合することで、回転弁体27もガイド部118にガイドされつつプリーツフィルタ体26と同方向に一体的に回動し、図８の実線に示す状態となって、各接続開口99，109が開くとともに、除塵腕部143が第３開閉弁120から外れることで開閉体付勢手段の付勢力により第３開閉弁120が復帰して外気導入口117が閉塞され、かつ、回転弁体27がストッパ部144の作用により、図８の実線に示す位置で回転を停止する。
【０１１２】
さらに、回転弁体27の回転に伴い、この回転弁体27の歯合ギヤ部81が図４に示す反時計回り方向に回動することで、歯合ギヤ部81とラックギヤ部82との歯合により接続板73が図４に示す左方向へと摺動し、この接続板73の延設腕部76の前端部に回動可能に軸支されたクランク体72の基端側が図４に示す左方向へと回動し、このクランク体72の連結された第１開閉弁66の先端側が図４に示す右方向へと回動して、図６に示す吸込接続口38と分離室部32の接続開口39とを連通させる。
【０１１３】
また、上記の状態でプリーツフィルタ体26がさらに回動すると、塵落とし突部147が除塵腕部143に対して、プリーツフィルタ体26の回動方向に沿うように図８の想像線147aに示すように回動して、回動しているプリーツフィルタ139の山部に接触しつつこの山部を乗り越え、この乗り越えの後、塵落とし突部147が付勢手段による付勢力により復帰して再度プリーツフィルタ139の谷部に嵌合する。この動作を繰り返すことにより、プリーツフィルタ体26が回転弁体27に対して空回りするとともに、塵落とし突部147がプリーツフィルタ139の山部を順次乗り越えることでプリーツフィルタ139に振動が付与され、このプリーツフィルタ139にて捕集した細塵がこのプリーツフィルタ139から除去されて塵埃受け部115へと落下する。
【０１１４】
さらに、モータ271のモータ軸281と一体の回動ギヤ284がモータ軸281とともに図９に示す反時計回り方向に回動している状態で、ギヤ用コイルばね268により回動上方向に付勢されたギヤ本体部258が想像線258aの状態まで上側に回動し、このギヤ本体部258とともにガイド部259が想像線259aの状態までガイドリブ部242に沿って上側に回動し、各挿入リブ263が規制孔261内で想像線263a(図１０)の状態まで回動することで、規制板部257がギヤ本体部258と一体的に上方へと回動を開始し、外周ギヤ部264が想像線264aの状態まで回動して回動ギヤ284の外周歯合ギヤ部283と歯合することで、駆動ギヤ247が図９に示す時計回り方向に、図９に示す想像線247aの状態まで回動する。このとき、ガイド部259の溝部267に上部リブ部243が嵌合してギヤ用コイルばね268が収縮し、駆動ギヤ247が回動下方向へ付勢されるとともに、駆動ギヤ247の他端部が外周歯合ギヤ部283に対向する位置まで回動すると、回動ギヤ284と駆動ギヤ247との歯合が遮断され、回動ギヤ284が駆動ギヤ247に対して空回りする。
【０１１５】
このため、この駆動ギヤ247と一体に設けられた駆動軸246の後端側に連結された第６開閉弁235の先端側が図９に示す上方向(実線の状態)へと回動して風路構成部231内を閉塞し、かつ、駆動軸246の前端部に連結された軸支腕部207の先端側が図１１に示す右方向(実線の状態)へと回動して、弁体206を図１１に示す右方向(実線の状態)へと回動させ、連通孔189を開口させる。
【０１１６】
さらに、これら機構部232の動作に連動して、区画壁171の各弁体171a，171bがそれぞれ上方へと回動し、図２(a)に示すように、各弁体171a，171bの先端側が互いに係合して第１集塵室172と第２集塵室173とが区画される。また、上部シャッタ105が、電動送風機５の負圧によって上部開口96を開くとともに、下部シャッタ106が第２シャッタ付勢手段の付勢により下部開口97を閉じ、かつ、第２開閉弁87が、分離室部32側と連通風路62側との圧力差により塵埃戻し口63を閉じる。
【０１１７】
この結果、主風路W1が電動送風機５の吸込側に連通接続され、副風路W2が電動送風機５の吸込側に対して遮断される。
【０１１８】
そして、作業者は、床ブラシ17を床面上で前後方向に走行させ、電動送風機５の負圧の作用により、床ブラシ17の先端側から床面上の塵埃を空気とともに吸い込む。
【０１１９】
この吸い込まれた空気は吸気風となり、床ブラシ17から延長管16、ホース体12および本体吸込口11を経由して、集塵ユニット７の吸込接続口38へと吸い込まれる。
【０１２０】
この後、空気は、塵埃とともに接続開口39から分離室部32内へと吸い込まれ、この分離室部32内にて、塵埃分離手段33の外周面との間を旋回することで、比較的大きい塵埃である粗塵が主として遠心分離され導入開口65から風路部開口156を経由して集塵部ユニット22内へと空気とともに吸い込まれる(第１主風路W1a)。
【０１２１】
また、細塵は、ネットフィルタ86，95を吸気風が通過する際に捕集される。この吸気風は、開口61，59から連通風路部35へと流入し、第２接続開口109を介してプリーツフィルタ体26の上流側へと吸気風とともに通過する(第２主風路W1b)。
【０１２２】
そして、粗塵を主体とし細塵を含む塵埃Ｄは、集塵部ユニット22の風路部154を通過して集塵室部153の第１集塵室172内に収容され、この第１集塵室172において、吸気風が上側開口161から上部開口96へと第１フィルタ168を通過する際に圧縮される。この通過した吸気風は、第１接続開口99を介してプリーツフィルタ体26の上流側へと通過する。
【０１２３】
この後、吸気風は、プリーツフィルタ体26のプリーツフィルタ139を通過して、このプリーツフィルタ139により、含まれる細塵が捕集される。
【０１２４】
吸気風は、隔壁９の連通孔部194および連通孔189を通過し、接続筒部237および連通筒部216を通過して電動送風機５の吸込側に吸い込まれる。
【０１２５】
そして、電動送風機５に吸い込まれた吸気風は、この電動送風機５を通過して排気風となり、本体ケース４の排気口18から外気へと排出される。
【０１２６】
掃除が終了すると、作業者が所定の設定ボタン15を操作して、電動送風機５の停止信号を制御手段に出力する。
【０１２７】
このとき、電動送風機５の停止信号を受信した制御手段は、まず、切換部289を駆動させてエア洗浄モードに切り換える。
【０１２８】
具体的に、制御手段が、モータ271を図９に示す時計回り方向へと回動させることで、回転ギヤ202が図１２に示す時計回り方向に回転し、この回転ギヤ202と外周ギヤ部196が歯合した円形回転部187が図１２に示す時計回り方向に回転し、この円形回転部187と一体的にプリーツフィルタ体26が回転する。
【０１２９】
すると、プリーツフィルタ体26のプリーツフィルタ139の谷部に塵落とし突部147が係合することで、回転弁体27もガイド部118にガイドされつつプリーツフィルタ体26と同方向に一体的に回動し、回転弁体27が図８の想像線27aに示す位置となって、第４開閉弁142が想像線142aの状態となって開閉部材132を動作させて下部排出開口131を開口させ、この第４開閉弁142により各接続開口99，109が閉塞されるとともに、回転弁体27の除塵腕部143が図８の想像線143aの位置まで移動して第３開閉弁120の開閉体突出部124に当接することで、第３開閉弁120が図８の想像線120a(図４の想像線120b)の位置まで移動して外気導入口117が開き、かつ、回転弁体27がストッパ部145の作用により回転を停止する。
【０１３０】
さらに、回転弁体27の回転に伴い、この回転弁体27の歯合ギヤ部81が図４に示す時計回り方向に想像線81aの状態まで回動することで、歯合ギヤ部81とラックギヤ部82との歯合により接続板73が図４に示す右方向へと想像線73aの状態まで摺動し、この接続板73の延設腕部76の前端部に回動可能に軸支されたクランク体72の基端側が図４に示す右方向へと想像線72aの状態まで回動し、このクランク体72の連結された第１開閉弁66の先端側が図４に示す左方向へと想像線66aの状態まで回動して、図６に示す吸込接続口38と分離室部32の接続開口39との連通を遮断する。
【０１３１】
また、上記の状態でプリーツフィルタ体26がさらに回動すると、塵落とし突部147が除塵腕部143に対して、プリーツフィルタ体26の回動方向に沿うように図８の想像線147bに示すように回動して、回動しているプリーツフィルタ139の山部に接触しつつこの山部を乗り越え、この乗り越えの後、塵落とし突部147が付勢手段による付勢力により復帰して再度プリーツフィルタ139の谷部に嵌合する。この動作を繰り返すことにより、プリーツフィルタ体26が回転弁体27に対して空回りするとともに、塵落とし突部147がプリーツフィルタ139の山部を順次乗り越えることでプリーツフィルタ139に振動が付与され、このプリーツフィルタ139にて捕集した細塵がこのプリーツフィルタ139から除去されて塵埃受け部115へと落下する。
【０１３２】
したがって、回転弁体27は、図８に示す実線の状態と想像線27aの状態との間で、時計回り方向、あるいは反時計回り方向に９０°回動する時には切換部289の一部として動作し、９０°回動した後には回動を停止してプリーツフィルタ139を除塵する除塵手段として動作する。
【０１３３】
さらに、モータ271のモータ軸281と一体の回動ギヤ284がモータ軸281とともに図９に示す時計回り方向に回動することで、ギヤ用コイルばね268により回動下方向に付勢された駆動ギヤ247の外周ギヤ部264が回動ギヤ284の外周歯合ギヤ部283と歯合して、駆動ギヤ247が図９に示す反時計回り方向に回動し、この駆動ギヤ247と一体に設けられた駆動軸246の後端側に連結された第６開閉弁235の先端側が図９に示す下方向へと想像線235aの状態まで回動して風路構成部231内を開口し、かつ、駆動軸246の前端部に連結された軸支腕部207の先端側が図１１に示す左方向へと想像線207aの状態まで回動して、弁体206を図１１に示す左方向へと想像線206aに示す状態まで回動させ、連通孔189を閉塞させる。
【０１３４】
このとき、駆動ギヤ247が図９に示す実線の状態まで下方に回動し、ガイド部259の溝部267に下部リブ部244が嵌合してギヤ用コイルばね268が収縮し、駆動ギヤ247が回動上方向へ付勢されるとともに、駆動ギヤ247の一端部が外周歯合ギヤ部283の位置へと対向する位置まで回動すると、回動ギヤ284と駆動ギヤ247との歯合が遮断され、回動ギヤ284が駆動ギヤ247に対して空回りする。
【０１３５】
さらに、これら機構部232の動作に連動して、区画壁171の各弁体171a，171bがそれぞれ下方へと回動し、図１(a)に示すように、第１集塵室172と第２集塵室173とが連通される。また、上部シャッタ105を閉方向に付勢する第１シャッタ付勢手段による付勢が、下部シャッタ106を閉方向に付勢する第２シャッタ付勢手段による付勢よりも大きいため、電動送風機５の負圧によって下部シャッタ106が下部開口97を開き、上部シャッタ105が上部開口96を閉じる。さらに、第２開閉弁87が、図７の想像線87aに示すように、分離室部32側と連通風路62側との圧力差により塵埃戻し口63を開く。
【０１３６】
この結果、副風路W2が電動送風機５の吸込側に連通接続され、主風路W1が電動送風機５の吸込側に対して遮断される。
【０１３７】
そして、電動送風機５の負圧により、外気が外気導入口117から副風路W2内へと取り込まれると、この吸い込まれた空気は、プリーツフィルタ139の上流側から塵埃受け部115、下部排出開口131および連通風路62を経由して分離室部32へと吸い込まれることで、プリーツフィルタ139から除去され塵埃受け部115上に溜まった細塵を分離室部32へと運ぶ。
【０１３８】
この後、この空気は、分離室部32から導入開口65および風路部開口156を経て集塵部ユニット22の集塵室部153へと吸い込まれ、第１集塵室172から第２集塵室173を経由して下側開口162および下部開口97を通過し、第１集塵室172内に捕集されていた塵埃Ｄを第２集塵室173へと移動させるとともに、第２フィルタ169および微細塵フィルタ102を通過する際に微細塵が捕集され、連通孔101および突出管部98から接続孔219を経て、風路構成部231を通過し、連通筒部216から電動送風機５の吸込側へと吸い込まれ、電動送風機５を通過して排気風となって排気口18から本体ケース４の外部へと排出される。
【０１３９】
そして、モータ271の動作開始から一定時間が経過すると、制御手段は、モータ271とともに電動送風機５を停止させる。
【０１４０】
集塵部ユニット22に所定量以上の塵埃が溜まった場合には、本体ケース４の蓋体３を開き、本体集塵室８から集塵部ユニット22を取り外す。このとき、作業者が係止体40の前端部を後方へと押し操作することで、係止体40が係止体付勢手段の付勢力に抗して後方へと図５の想像線40aに示す状態まで摺動し、係止孔55と集塵部ユニット22側の係止爪との係合が外れて、集塵部ユニット22が塵埃分離ユニット21に対して上方へと取り外し可能となる。
【０１４１】
そして、作業者が、ごみ箱などの上方で取手部157を把持して解除ボタン178を操作することで、蓋体152が自重により下方へと回動して集塵室部153が開き、第２集塵室173の内部に収容された塵埃Ｄを開口部164から廃棄する。
【０１４２】
また、塵埃分離ユニット21の各種フィルタが目詰まりした場合には、この塵埃分離ユニット21も本体集塵室８から取り外して適宜掃除する。
【０１４３】
そして、取り外しのときと逆の手順により、塵埃分離ユニット21と集塵部ユニット22とを順次本体集塵室８へと再度取り付ける。
【０１４４】
上述したように、上記一実施の形態によれば、主風路W1を電動送風機５の吸込側に連通させた掃除モードの状態では閉じている区画壁171が、切換部289により副風路W2を電動送風機の吸込側に連通させるエア洗浄モードの状態へと切り換える際に開いて第１集塵室172と第２集塵室173とを連通させて、掃除モード時に第１集塵室172に捕集した塵埃Ｄを副風路W2中の第２集塵室173へと移動させることができるので、主風路W1を用いる掃除モード時に電動送風機５の駆動により吸い込んだ空気が通過する第１集塵室172内の塵埃量を低減でき、例えば専用のフィルタなどを用いる場合と比較して、吸込性能の低下を抑制しつつ排気中への臭気の混入を抑制できる。
【０１４５】
すなわち、掃除モード時に用いる主風路W1中には、吸い込んでいる塵埃は溜まっていくものの、このように溜まった塵埃は、掃除終了後などの所定条件時に、掃除モード時に用いない副風路W2中へと移動されるので、塵埃Ｄの臭気および塵埃Ｄ内に含まれる細塵は常に気流に曝されて移動することがなく、掃除の際の臭気の発生および細塵によるプリーツフィルタ139の過度の汚れを抑制できる。
【０１４６】
しかも、プリーツフィルタ139を空気洗浄するための副風路W2への切り換え、および、この副風路W2中の吸込風を利用して塵埃Ｄを移動させるので、この塵埃Ｄの移動用の構成を別途設ける場合と比較して、構成を簡略化できる。
【０１４７】
また、第１集塵室172に配置した第１フィルタ168よりも目が細かい第２フィルタ169を第２集塵室173に配置しているため、主風路W1すなわち第１集塵室172側を用いる掃除モード時には第１フィルタ168が目詰まりしにくく、かつ、エア洗浄モードに切り換えた際には、目が細かい第２フィルタ169により確実に微細塵を捕集できる。
【０１４８】
さらに、第１集塵室172の下流側を開閉する上部シャッタ105を、第２集塵室173の下流側を開閉する下部シャッタ106よりも閉方向へと強く付勢することにより、エア洗浄モードに切り換えた際に、電動送風機５の駆動による負圧のみで下部シャッタ106を開いて上部シャッタ105を閉じることができるので、上部シャッタ105と下部シャッタ106とを掃除モードとエア洗浄モードとの切り換えに対応して選択的に開閉させる構成を容易に形成できる。
【０１４９】
なお、上記一実施の形態において、第１フィルタ168と第２フィルタ169とのそれぞれの目の細かさは、任意に設定できる。
【０１５０】
また、上部シャッタ105と下部シャッタ106とは、例えば切換部289にギヤ列などの連結手段を介して連結させ、掃除モードとエア洗浄モードとの切り換えに対応して選択的に開閉させるように構成してもよい。
【０１５１】
さらに、上部シャッタ105および下部シャッタ106に代えて、例えば上部開口96と下部開口97とを選択的に開閉可能な１枚のシャッタを設けてもよい。
【０１５２】
そして、切換部289の構成は、所定条件に応じて掃除モードとエア洗浄モードとを切り換えできれば、上記に限定されるものではない。
【０１５３】
また、掃除モードとエア洗浄モードとを切り換える所定条件としては、掃除を終了するために設定ボタン15の切ボタンを操作することだけでなく、例えばエア洗浄モードの切り換え専用の設定ボタン15を設け、その操作を切り換えの所定条件とするなど、任意に設定できる。
【０１５４】
そして、電気掃除機としては、キャニスタ型に限らず、床ブラシが掃除機本体１の下部に接続したアップライト型、ハンディ型、あるいは自律走行型など、任意のタイプの電気掃除機とすることができる。
【図面の簡単な説明】
【０１５５】
【図１】本発明の一実施の形態の電気掃除機を第２風路に切り換えた状態を示し、(a)は要部の説明断面図、(b)は第２風路全体の説明図である。
【図２】同上電気掃除機を第１風路に切り換えた状態を示し、(a)は要部の説明断面図、(b)は第１風路全体の説明図である。
【図３】同上集塵部を示す斜視図である。
【図４】同上電気掃除機の集塵部の内部を一部を切り欠いて示す斜視図である。
【図５】同上集塵部の一部を示す斜視図である。
【図６】同上集塵部の一部を示す側面図である。
【図７】同上集塵部を前方から示す斜視図である。
【図８】同上集塵部を背面側から示す斜視図である。
【図９】同上電気掃除機の要部を示す斜視図である。
【図１０】同上電気掃除機の切換手段の一部を拡大して示す正面図である。
【図１１】同上電気掃除機の隔壁の一部を拡大して示す斜視図である。
【図１２】同上隔壁を示す正面図である。
【図１３】同上隔壁を背面側から示す斜視図である。
【図１４】同上電気掃除機を示す斜視図である。
【符号の説明】
【０１５６】
１    掃除機本体
５    電動送風機
32    分離部としての分離室部
62    連通風路
105   第１シャッタとしての上部シャッタ
106   第２シャッタとしての下部シャッタ
139   細塵フィルタとしてのプリーツフィルタ
168   第１フィルタ
169   第２フィルタ
171   区画壁
172   第１集塵室
173   第２集塵室
231   ダクト部としての風路構成部
289   切換部
W1    第１風路としての主風路
W2    第２風路としての副風路
【図１】
2010051405.tif 000003
【図２】
2010051405.tif 000004
【図３】
2010051405.tif 000005
【図４】
2010051405.tif 000006
【図５】
2010051405.tif 000007
【図６】
2010051405.tif 000008
【図７】
2010051405.tif 000009
【図８】
2010051405.tif 000010
【図９】
2010051405.tif 000011
【図１０】
2010051405.tif 000012
【図１１】
2010051405.tif 000013
【図１２】
2010051405.tif 000014
【図１３】
2010051405.tif 000015
【図１４】
2010051405.tif 000016